(57)【要約】【課題】電波の安全性に関する基準を満たしつつ、良好に無線通信できる。【解決手段】第１のアンテナ１４ａは、表示画面１３の第１辺１３ａに隣接し且つ表示画面１３の第３辺１３ｃ寄りの位置に設けられている。第２のアンテナ１４ｂは、表示画面１３の第２辺１３ｂに隣接し且つ第１辺１３ａ寄りの位置に設けられている。第３のアンテナ１４ｃは、第４辺１３ｄに隣接し且つ第２辺１３ｂ寄りの位置に設けられている。制御部１１は、無線通信に使用するアンテナとして、第１辺１３ａが表示画面１３の上辺となる場合には、第１のアンテナ１４ａと第２のアンテナ１４ｂとを選択し、第２辺１３ｂが表示画面１３の上辺となる場合には、第２のアンテナ１４ｂと第３のアンテナ１４ｃとを選択する。【選択図】図１
2010041289.tif 000002
【特許請求の範囲】
【請求項１】
第１辺と、前記第１辺の一端に続き前記第１辺に隣接する第２辺と、前記第１辺の他端に続き前記第１辺に隣接する第３辺と、前記第２辺と前記第３辺とに隣接する第４辺と、からなる矩形状の表示画面を有する筐体と、
前記第１辺に隣接し且つ前記第３辺寄りの位置に設けられた複数のアンテナの中の第１のアンテナと、
前記第２辺に隣接し且つ前記第１辺寄りの位置に設けられた前記複数のアンテナの中の第２のアンテナと、
前記第４辺に隣接し且つ前記第２辺寄りの位置に設けられた前記複数のアンテナの中の第３のアンテナと、
無線通信に使用するアンテナとして、前記第１辺が前記表示画面の上辺となる場合には、前記第１のアンテナと前記第２のアンテナとを選択し、前記第２辺が前記表示画面の上辺となる場合には、前記第２のアンテナと前記第３のアンテナとを選択する制御部と、
を有することを特徴とする電子機器。
【請求項２】
前記第３辺に隣接し且つ前記第４辺寄りの位置に設けられた前記複数のアンテナの中の第４のアンテナを有し、
前記制御部は、無線通信に使用するアンテナとして、前記第３辺が前記表示画面の上辺となる場合には、前記第１のアンテナと前記第４のアンテナとを選択することを特徴とする請求項１記載の電子機器。
【請求項３】
前記制御部は、無線通信に使用するアンテナとして、前記第４辺が前記表示画面の上辺となる場合には、前記第３のアンテナと前記第４のアンテナとを選択することを特徴とする請求項２記載の電子機器。
【請求項４】
前記筐体は、
前記表示画面と前記複数のアンテナとを有する第１の筐体と、
第２の筐体と、
前記第１の筐体と前記第２の筐体とを第１軸で開閉可能に連結するとともに前記第１軸と交差する方向の第２軸でそれらを回動可能に連結する連結部と、
を有することを特徴とする請求項１から３のいずれか１つに記載の電子機器。
【請求項５】
第１辺と、前記第１辺の一端に続き前記第１辺に隣接する第２辺と、前記第１辺の他端に続き前記第１辺に隣接する第３辺と、前記第２辺と前記第３辺とに隣接する第４辺と、からなる矩形状の表示画面を有する筐体を有する電子機器で実行される制御プログラムにおいて、
前記電子機器を、
前記表示画面の表示方向を検出する表示方向検出部、
前記表示方向検出部による検出結果に基づき、無線通信に使用するアンテナとして、前記第１辺が前記表示画面の上辺となる場合には、前記第１辺に隣接し且つ前記第３辺寄りの位置に設けられた第１のアンテナと前記第２辺に隣接し且つ前記第１辺寄りの位置に設けられた第２のアンテナとを選択し、前記第２辺が前記表示画面の上辺となる場合には、前記第２のアンテナと前記第４辺に隣接し且つ前記第２辺寄りの位置に設けられた第３のアンテナとを選択する制御部、
として機能させることを特徴とする制御プログラム。
【請求項６】
第１辺と、前記第１辺の一端に続き前記第１辺に隣接する第２辺と、前記第１辺の他端に続き前記第１辺に隣接する第３辺と、前記第２辺と前記第３辺とに隣接する第４辺と、からなる矩形状の表示画面を有する筐体を有する電子機器を制御する制御方法において、
表示方向検出部が、前記表示画面の表示方向を検出する表示方向検出ステップと、
制御部が、前記表示方向検出部による検出結果に基づき、無線通信に使用するアンテナとして、前記第１辺が前記表示画面の上辺となる場合には、前記第１辺に隣接し且つ前記第３辺寄りの位置に設けられた第１のアンテナと前記第２辺に隣接し且つ前記第１辺寄りの位置に設けられた第２のアンテナとを選択し、前記第２辺が前記表示画面の上辺となる場合には、前記第２のアンテナと前記第４辺に隣接し且つ前記第２辺寄りの位置に設けられた第３のアンテナとを選択する制御ステップと、
を有することを特徴とする制御方法。
【発明の詳細な説明】
【技術分野】
【０００１】
本発明は、電子機器、制御プログラムおよび制御方法に関し、特に無線通信を行う電子機器、制御プログラムおよび制御方法に関する。
【背景技術】
【０００２】
現在、タブレットタイプ（tablet type）、コンバーチブルタイプ（convertible type）のノートＰＣ（laptop computer）等の情報処理装置を始めとする電子機器において、無線によるデータ通信を行う無線通信機能を有するものがある。このような電子機器では、製造・販売時等にＳＡＲ（Specific Absorption Rate）規格を満たすことが求められる場合がある。
【０００３】
これに関して、人体が接近したことをセンサで検出して、人体方向に送出する電波が弱まるように２つのアンテナを使い分ける携帯無線機が知られている（例えば、特許文献１参照）。
【０００４】
また、人体が接近していることを識別して、使用するアンテナを選択する携帯無線電話端末装置が知られている（例えば、特許文献２参照）。
また、筐体の傾きを検出して使用するアンテナを選択する移動体通信端末装置が知られている（例えば、特許文献３参照）。
【０００５】
また、ヒンジの状態および画像の表示状態等の使用状態に基づいて輻射アンテナの出力を制御するコンバーチブルタイプのタブレットＰＣが知られている（例えば、特許文献４参照）。
【特許文献１】特開２００２−１７１１９１号公報
【特許文献２】特開２００６−１８０１９３号公報
【特許文献３】特開２００５−２２３８０２号公報
【特許文献４】特開２００７−２３５３２９号公報
【発明の開示】
【発明が解決しようとする課題】
【０００６】
しかし、上記特許文献１に記載の技術では、人体を検出するために誘電体を検出するセンサを要するという問題点がある。
また、上記特許文献２に記載の技術では、通話状態に基づいて人体が接近していることを検出するので、通話機能を有さない電子機器には適用できないという問題点がある。
【０００７】
また、上記特許文献３に記載の技術では、移動体通信端末装置の筐体の傾きを検出するセンサを要するという問題点がある。
また、上記特許文献４に記載の技術では、使用状態に基づいてアンテナの使用を停止またはアンテナの出力を制限するので、使用状態により、無線通信機能が使用不可となる、または無線通信に必要な出力の電波が得られず無線通信に支障が生じる可能性があるという問題点がある。
【０００８】
本件は、このような点に鑑みてなされたものであり、電波の安全性に関する基準を満たしつつ、良好に無線通信可能な電子機器、制御プログラムおよび制御方法を提供することを目的とする。
【課題を解決するための手段】
【０００９】
開示の電子機器は、第１辺と、前記第１辺の一端に続き前記第１辺に隣接する第２辺と、前記第１辺の他端に続き前記第１辺に隣接する第３辺と、前記第２辺と前記第３辺とに隣接する第４辺と、からなる矩形状の表示画面を有する筐体と、前記第１辺に隣接し且つ前記第３辺寄りの位置に設けられた複数のアンテナの中の第１のアンテナと、前記第２辺に隣接し且つ前記第１辺寄りの位置に設けられた前記複数のアンテナの中の第２のアンテナと、前記第４辺に隣接し且つ前記第２辺寄りの位置に設けられた前記複数のアンテナの中の第３のアンテナと、無線通信に使用するアンテナとして、前記第１辺が前記表示画面の上辺となる場合には、前記第１のアンテナと前記第２のアンテナとを選択し、前記第２辺が前記表示画面の上辺となる場合には、前記第２のアンテナと前記第３のアンテナとを選択する制御部と、を有する。
【００１０】
開示の電子機器によれば、制御部により、無線通信に使用するアンテナとして、第１辺が表示画面の上辺となる場合には、第１のアンテナと第２のアンテナとが選択され、第２辺が表示画面の上辺となる場合には、第２のアンテナと第３のアンテナとが選択される。
【００１１】
また、開示の第１辺と、前記第１辺の一端に続き前記第１辺に隣接する第２辺と、前記第１辺の他端に続き前記第１辺に隣接する第３辺と、前記第２辺と前記第３辺とに隣接する第４辺と、からなる矩形状の表示画面を有する筐体を有する電子機器で実行される制御プログラムは、前記電子機器を、前記表示画面の表示方向を検出する表示方向検出部、前記表示方向検出部による検出結果に基づき、無線通信に使用するアンテナとして、前記第１辺が前記表示画面の上辺となる場合には、前記第１辺に隣接し且つ前記第３辺寄りの位置に設けられた第１のアンテナと前記第２辺に隣接し且つ前記第１辺寄りの位置に設けられた第２のアンテナとを選択し、前記第２辺が前記表示画面の上辺となる場合には、前記第２のアンテナと前記第４辺に隣接し且つ前記第２辺寄りの位置に設けられた第３のアンテナとを選択する制御部、として機能させる。
【００１２】
開示の制御プログラムによれば、表示方向検出部により、表示画面の表示方向が検出され、制御部により、表示方向検出部による検出結果に基づき、無線通信に使用するアンテナとして、第１辺が表示画面の上辺となる場合には、第１のアンテナと第２のアンテナとが選択され、第２辺が表示画面の上辺となる場合には、第２のアンテナと第３のアンテナとが選択される。
【００１３】
また、開示の第１辺と、前記第１辺の一端に続き前記第１辺に隣接する第２辺と、前記第１辺の他端に続き前記第１辺に隣接する第３辺と、前記第２辺と前記第３辺とに隣接する第４辺と、からなる矩形状の表示画面を有する筐体を有する電子機器を制御する制御方法は、表示方向検出部が、前記表示画面の表示方向を検出する表示方向検出ステップと、制御部が、前記表示方向検出部による検出結果に基づき、無線通信に使用するアンテナとして、前記第１辺が前記表示画面の上辺となる場合には、前記第１辺に隣接し且つ前記第３辺寄りの位置に設けられた第１のアンテナと前記第２辺に隣接し且つ前記第１辺寄りの位置に設けられた第２のアンテナとを選択し、前記第２辺が前記表示画面の上辺となる場合には、前記第２のアンテナと前記第４辺に隣接し且つ前記第２辺寄りの位置に設けられた第３のアンテナとを選択する制御ステップと、を有する。
【００１４】
開示の制御方法によれば、表示方向検出部により、表示画面の表示方向が検出され、制御部により、表示方向検出部による検出結果に基づき、無線通信に使用するアンテナとして、第１辺が表示画面の上辺となる場合には、第１のアンテナと第２のアンテナとが選択され、第２辺が表示画面の上辺となる場合には、第２のアンテナと第３のアンテナとが選択される。
【発明の効果】
【００１５】
開示の電子機器、制御プログラムおよび制御方法によれば、電波の安全性に関する基準を満たしつつ良好な無線通信を確保して、ユーザがより快適に使用することができる。
【発明を実施するための最良の形態】
【００１６】
以下、実施の形態について、図面を参照して説明する。
図１は、本実施の形態の概要を示す図である。図１に示す電子機器１は、画像を表示する機能および無線通信を行う機能を有する。電子機器１は、筐体１０、制御部１１、表示方向検出部１２および複数のアンテナ（第１のアンテナ１４ａ、第２のアンテナ１４ｂ、第３のアンテナ１４ｃ）を有する。
【００１７】
筐体１０は、表示画面１３を有する。表示画面１３は、矩形状であって、第１辺１３ａと、第１辺１３ａの一端に続き第１辺１３ａに隣接する第２辺１３ｂと、第１辺１３ａの他端に続き第１辺１３ａに隣接する第３辺１３ｃと、第２辺１３ｂと第３辺１３ｃとに隣接する第４辺１３ｄと、からなる。
【００１８】
第１のアンテナ１４ａは、電子機器１が有する複数のアンテナの中の一つであり、第１辺１３ａに隣接し且つ第３辺１３ｃ寄りの位置に設けられている。
第２のアンテナ１４ｂは、同様に電子機器１が有する複数のアンテナの中の一つであり、第２辺１３ｂに隣接し且つ第１辺１３ａ寄りの位置に設けられている。
【００１９】
第３のアンテナ１４ｃは、同様に電子機器１が有する複数のアンテナの中の一つであり、第４辺１３ｄに隣接し且つ第２辺１３ｂ寄りの位置に設けられている。
制御部１１は、表示方向検出部１２によって検出された表示画面１３に表示される表示画像の表示方向に基づいて、無線通信に使用するアンテナとして、第１辺１３ａが表示画面１３の上辺となる場合には、第１のアンテナ１４ａと第２のアンテナ１４ｂとを選択し、第２辺１３ｂが表示画面１３の上辺となる場合には、第２のアンテナ１４ｂと第３のアンテナ１４ｃとを選択する。
【００２０】
この制御部１１によるアンテナの選択に基づいて無線通信に使用される電波が出力される。このとき、制御部１１によってユーザからみて表示画面１３の上部に位置するアンテナが選択されるので、ユーザの体に近い側のアンテナから電波が出力されず、ユーザの体から遠いアンテナから電波が出力される。
【００２１】
このように、電子機器１は、電波の安全性に関する基準を満たしつつ良好な無線通信を確保して、ユーザがより快適に使用することができる。
以下、本実施の形態について図面を参照して詳細に説明する。
【００２２】
図２および図３は、情報処理装置の外観を示す図である。図２に、ディスプレイ部１２０を開いた状態（通常使用状態）の情報処理装置１００の図を示す。図３に、ＬＣＤ（Liquid Crystal Monitor）１２１を上方に向けてディスプレイ部１２０を閉じた状態（タブレット状態）の情報処理装置１００の図を示す。
【００２３】
図２および図３に示す情報処理装置１００は、無線通信機能を有するとともに、後述する通常使用状態、タブレット状態および収納状態に変換可能なコンバーチブルタイプのノートＰＣである。情報処理装置１００は、ＬＣＤ１２１および図４において後述するアンテナＡ１５１ａ，・・・を有するディスプレイ部１２０、キーボード１３１および図４において後述するＣＰＵ１１１等の電子部品を有する本体部１３０およびディスプレイ部１２０および本体部１３０を接続する連結部１４０を有する。
【００２４】
ＬＣＤ１２１は、文字または画像を表示する表示画面を有する表示装置である。なお、表示装置としては、ＬＣＤ以外にも、例えば有機ＥＬ（Electroluminescence）ディスプレイ等の他の薄型表示デバイスを用いてもよい。
【００２５】
キーボード１３１は、文字の入力およびその他の操作を行うための入力装置である。
連結部１４０は、ディスプレイ部１２０および本体部１３０を開閉可能に連結する開閉軸（図示省略）、開閉軸と交差し、ディスプレイ部１２０および本体部１３０を相対的に回動可能に連結する回動軸（図示省略）を有する。情報処理装置１００は、連結部１４０が有する開閉軸および回動軸により、本体部１３０に対してディスプレイ部１２０を開閉および回動させることによって、図２に示す通常使用状態、図３に示すタブレット状態およびＬＣＤ１２１を内側にしてディスプレイ部１２０を閉じる収納状態の３つの状態に変換することができる。
【００２６】
なお、本実施の形態の情報処理装置１００では、コンバーチブルタイプのノートＰＣについて説明したが、これに限らず、ディスプレイ部と本体部が一体または固定され、常にタブレット状態で使用されるタブレットタイプのノートＰＣとしてもよい。また、その他のタイプのノートＰＣであってもよく、さらにノートＰＣ以外の携帯型情報端末装置等の、表示機能および無線通信機能を有する電子機器であってもよい。
【００２７】
次に、本実施の形態のハードウェア構成について説明する。
図４は、情報処理装置のハードウェア構成図である。
情報処理装置１００は、ＣＰＵ（Central Processing Unit）１１１によって装置全体が制御されている。ＣＰＵ１１１には、バス１１７を介してＲＡＭ（Random Access Memory）１１２、ＨＤＤ（Hard Disk Drive）１１３、グラフィック処理装置１１４、入力インタフェース１１５および通信部１１６が接続されている。また、通信部１１６には、詳しくは図５において後述するが、アンテナＡ１５１ａ，・・・が接続されている。
【００２８】
ＲＡＭ１１２には、ＣＰＵ１１１に実行させるＯＳのプログラムやアプリケーションの少なくとも一部が一時的に格納される。また、ＲＡＭ１１２には、ＣＰＵ１１１による処理に必要な各種データが格納される。
【００２９】
ＨＤＤ１１３には、情報処理装置１００上のＯＳやアプリケーションが扱うデータが格納される。
グラフィック処理装置１１４には、ＬＣＤ１２１等の表示装置が接続可能である。グラフィック処理装置１１４は、ＣＰＵ１１１からの命令にしたがって、画像をＬＣＤ１２１等の表示装置の表示画面に表示させることができる。また、グラフィック処理装置１１４とＬＣＤ１２１とは、例えば、シリアル通信ケーブルで接続され制御信号と画像信号とが交互に送受信される。
【００３０】
入力インタフェース１１５には、キーボード１３１、マウス２００、ＬＣＤ１２１等の入力装置が接続可能である。入力インタフェース１１５は、キーボード１３１等の入力装置から送られてくる信号を、バス１１７を介してＣＰＵ１１１に出力する。
【００３１】
通信部１１６は、無線通信のためのＲＦ（Radio Frequency）回路や、送受信信号の変復調回路等を備え、アンテナＡ１５１ａ，・・・を介して無線ＬＡＮ（Wireless Local Area Network）等によりデータを送受信する。この情報処理装置１００では、通信部１１６およびアンテナＡ１５１ａ，・・・を介して無線通信することで、データの送受信が行われる。
【００３２】
ＬＣＤ１２１は、情報処理装置１００の動作にしたがって情報を表示することができる。また、ＬＣＤ１２１は、表面に設けられた表示面の圧力または静電気の変化の検出によって、表示面に対するタッチペンの接触を検知することにより、例えば、文字の入力および表示面に表示されたアイコンの選択等の、ユーザによる入力を受け付けることができる。
【００３３】
以上のようなハードウェア構成によって、本実施の形態の処理機能を実現することができる。
次に、本実施の形態のモジュール構成について説明する。
【００３４】
図５は、情報処理装置のブロック図である。図５に示す情報処理装置１００は、画像を表示する機能および無線通信を行う機能を有する。情報処理装置１００は、筐体１００ａを有する。筐体１００ａは、ディスプレイ部１２０、本体部１３０および連結部１４０（図２および図３）を有する。ディスプレイ部１２０は、ＬＣＤ１２１、アンテナＡ１５１ａ、アンテナＢ１５１ｂ、アンテナＣ１５１ｃおよびアンテナＤ１５１ｄを有する。本体部１３０は、制御部１０１、表示方向検出部１０２、出力アンテナ情報記憶部１０３、グラフィック処理装置１１４、入力インタフェース１１５および通信部１１６を有する。
【００３５】
制御部１０１は、表示方向検出部１０２によって検出されたＬＣＤ１２１に表示される表示画像の表示方向に基づいて、無線通信に使用するアンテナとして、プライマリ（primary）・ランドスケープ（landscape）時には、アンテナＡ１５１ａとアンテナＢ１５１ｂとを選択する。また、制御部１０１は、同様に、プライマリ・ポートレート（portrait）時（図６および図７参照）には、アンテナＢ１５１ｂとアンテナＣ１５１ｃとを選択する。制御部１０１は、無線通信に使用するアンテナとして、セカンダリ（secondary）・ポートレート時（図８参照）には、アンテナＡ１５１ａとアンテナＤ１５１ｄとを選択する。制御部１０１は、無線通信に使用するアンテナとして、セカンダリ・ランドスケープ時（図７参照）には、アンテナＣ１５１ｃとアンテナＤ１５１ｄとを選択する。
【００３６】
制御部１０１は、通信部１１６を制御して、無線通信に使用するアンテナとして選択したアンテナから、無線通信に使用する電波を出力させる。
また、制御部１０１は、グラフィック処理装置１１４を制御して、ＬＣＤ１２１（図２において前述）に表示される表示画面の表示方向を切り替える切替処理を実行する。この切替処理の実行を検出することによって、表示方向検出部１０２が表示画面の表示方向を検出する。
【００３７】
表示方向検出部１０２は、制御部１０１による切替処理の実行を検出することによって、表示画面の表示方向を検出する。また、表示方向検出部１０２は、入力インタフェース１１５を介してユーザがキーボード１３１、ＬＣＤ１２１、マウス２００等の操作部を操作することにより切り替える表示方向を入力する切替操作を検出することによって、表示画面の表示方向を検出する。
【００３８】
出力アンテナ情報記憶部１０３は、表示画面の表示方向と、表示方向において無線通信に使用するアンテナとを対応付ける出力アンテナ情報を記憶する。出力アンテナ情報については、詳しくは図９において後述する。
【００３９】
通信部１１６は、無線通信に使用する電波を出力するアンテナを切り替える切替スイッチを有する。これにより通信部１１６は、制御部１０１の制御にしたがって、無線通信をするための電波を、制御部１０１が選択したアンテナより出力する。
【００４０】
ＬＣＤ１２１は、詳しくは図７および図８において後述するが、矩形状の表示画面である。
連結部１４０は、ディスプレイ部１２０と本体部１３０とを開閉軸で開閉可能に連結するとともに開閉軸と交差する方向の回動軸でそれらを回動可能に連結する。
【００４１】
アンテナＡ１５１ａは、情報処理装置１００が有する複数のアンテナの中の一つであり、詳しくは図７において後述するが、プライマリ・ランドスケープ時（図６および図７参照）におけるＬＣＤ１２１の上側の辺に隣接し且つ左側の辺寄りの位置に設けられている。
【００４２】
アンテナＢ１５１ｂは、同様に情報処理装置１００が有する複数のアンテナの中の一つであり、詳しくは図７において後述するが、プライマリ・ランドスケープ時におけるＬＣＤ１２１の右側の辺に隣接し且つ上側の辺寄りの位置に設けられている。
【００４３】
アンテナＣ１５１ｃは、同様に情報処理装置１００が有する複数のアンテナの中の一つであり、詳しくは図７において後述するが、プライマリ・ランドスケープ時におけるＬＣＤ１２１の下側の辺に隣接し且つ右側の辺寄りの位置に設けられている。
【００４４】
アンテナＤ１５１ｄは、同様に情報処理装置１００が有する複数のアンテナの中の一つであり、詳しくは図７において後述するが、プライマリ・ランドスケープ時におけるＬＣＤ１２１の左側の辺に隣接し且つ下側の辺寄りの位置に設けられている。
【００４５】
本実施の形態の情報処理装置１００では、制御部１０１によるアンテナの選択に基づいて通信部１１６が制御され、選択されたアンテナから無線通信に使用される電波が出力される。このとき、制御部１０１によってユーザから見てＬＣＤ１２１の上部に位置するアンテナが選択されるので、ユーザの体に近い側のアンテナから電波が出力されず、ユーザの体から遠いアンテナから電波が出力される。
【００４６】
次に、本実施の形態の使用状態について説明する。
図６は、タブレット状態における使用状態を示す図である。図６（Ａ）に、プライマリ・ランドスケープ時の使用状態を示す。図６（Ｂ）に、プライマリ・ポートレート時の使用状態を示す。
【００４７】
情報処理装置１００は、タブレット状態で使用する場合に、表示される画像の向きを切り替えることにより、ＬＣＤ１２１を縦方向に使用することができるとともに、ＬＣＤ１２１を横方向に使用することもできる。
【００４８】
ＬＣＤ１２１に表示される画像の向きが横方向（ＬＣＤ１２１の長手方向がユーザから見て横方向）の場合を、ランドスケープ時とする。また、ＬＣＤ１２１に表示される画像の向きが縦方向（ＬＣＤ１２１の長手方向がユーザから見て縦方向）の場合を、ポートレート時とする。
【００４９】
また、詳しくは図７において後述するが、情報処理装置１００では、ランドスケープ時において、図６（Ａ）に示すように、連結部１４０が下方に位置する場合を、プライマリ・ランドスケープ時という。また、ランドスケープ時において、連結部１４０が上方に位置する場合を、セカンダリ・ランドスケープ時という。
【００５０】
また、詳しくは図８において後述するが、情報処理装置１００では、ポートレート時において、図６（Ｂ）に示すように、連結部１４０がユーザから見て右側に位置する場合を、プライマリ・ポートレート時という。また、ポートレート時において、連結部１４０がユーザから見て左側に位置する場合を、セカンダリ・ポートレート時という。
【００５１】
図７および図８は、画面表示の向きとアンテナの位置との関係を示す図である。図７に、ランドスケープ時の情報処理装置１００のディスプレイ部１２０におけるアンテナの位置を示す。図８に、ポートレート時の情報処理装置１００のディスプレイ部１２０におけるアンテナの位置を示す。ここで、図７（Ａ）〜図８（Ｂ）のそれぞれの図において、矢印Ａが指す向きを右とし、矢印Ｂが指す向きを下とする。
【００５２】
図７（Ａ）に、一例として示す「ＡＢＣ」の文字からなる画面表示１２１ａの向きを基準にして、ＬＣＤ１２１の長手方向が横方向になるように情報処理装置１００を配置した場合において、連結部１４０が下側に位置するプライマリ・ランドスケープ時のディスプレイ部１２０における、アンテナＡ１５１ａ〜アンテナＤ１５１ｄ（図５参照）が配置された位置としてアンテナＡ配置位置１５２ａ〜アンテナＤ配置位置１５２ｄを示す。アンテナＡ１５１ａ、アンテナＢ１５１ｂ、アンテナＣ１５１ｃおよびアンテナＤ１５１ｄが配置された位置を、それぞれアンテナＡ配置位置１５２ａ、アンテナＢ配置位置１５２ｂ、アンテナＣ配置位置１５２ｃおよびアンテナＤ配置位置１５２ｄとする。
【００５３】
プライマリ・ランドスケープ時において、アンテナＡ１５１ａが配置されたアンテナＡ配置位置１５２ａは、図７（Ａ）に示すように、ＬＣＤ１２１の上側の辺において、上側の辺の左側に隣接するＬＣＤ１２１の左側の辺寄りに位置している。
【００５４】
同様に、アンテナＢ１５１ｂが配置されたアンテナＢ配置位置１５２ｂは、ＬＣＤ１２１の上側の辺の右側に隣接するＬＣＤ１２１の右側の辺において、上側の辺寄りに位置している。アンテナＣ１５１ｃが配置されたアンテナＣ配置位置１５２ｃは、ＬＣＤ１２１の上側の辺に対向し、ＬＣＤ１２１の右側の辺およびＬＣＤ１２１の左側の辺に隣接するＬＣＤ１２１の下側の辺において、右側の辺寄りに位置している。アンテナＤ１５１ｄが配置されたアンテナＤ配置位置１５２ｄは、ＬＣＤ１２１の上側の辺の左側に隣接するＬＣＤ１２１の左側の辺において、ＬＣＤ１２１の下側の辺寄りに位置している。
【００５５】
また、このとき情報処理装置１００は、ユーザの体に最も近いアンテナＣ配置位置１５２ｃに配置されたアンテナＣ１５１ｃを使用せず、アンテナＡ１５１ａおよびアンテナＢ１５１ｂを使用して無線通信を行う。これにより、情報処理装置１００を、ユーザが図６（Ａ）（プライマリ・ランドスケープ時）のように使用した場合、電波が出力されるアンテナＡ１５１ａおよびアンテナＢ１５１ｂは、それぞれユーザの体から離れた位置であるアンテナＡ配置位置１５２ａおよびアンテナＢ配置位置１５２ｂに配置されているので、プライマリ・ランドスケープ時において、無線通信に必要な電波の量を出力しつつ、人体に放射される電波の量を減少させることができる。
【００５６】
図７（Ｂ）に、画面表示１２１ｂの向きを基準にして、ＬＣＤ１２１の長手方向が横方向になるように情報処理装置１００を配置した場合において、連結部１４０が上側に位置するセカンダリ・ランドスケープ時のディスプレイ部１２０における各アンテナが配置された位置であるアンテナＡ配置位置１５２ａ〜アンテナＤ配置位置１５２ｄを示す。
【００５７】
セカンダリ・ランドスケープ時において、アンテナＡ配置位置１５２ａは、図７（Ｂ）に示すように、ＬＣＤ１２１の下側の辺において、下側の辺の右側に隣接するＬＣＤ１２１の右側の辺寄りに位置している。
【００５８】
同様に、アンテナＢ配置位置１５２ｂは、ＬＣＤ１２１の下側の辺の左側に隣接するＬＣＤ１２１の左側の辺において、下側の辺寄りに位置している。アンテナＣ配置位置１５２ｃは、ＬＣＤ１２１の下側の辺に対向し、ＬＣＤ１２１の右側の辺およびＬＣＤ１２１の左側の辺に隣接するＬＣＤ１２１の上側の辺において、左側の辺寄りに位置している。アンテナＤ配置位置１５２ｄは、ＬＣＤ１２１の下側の辺の右側に隣接するＬＣＤ１２１の右側の辺において、ＬＣＤ１２１の上側の辺寄りに位置している。
【００５９】
また、このとき情報処理装置１００は、ユーザの体に最も近いアンテナＡ配置位置１５２ａに配置されたアンテナＡ１５１ａを使用せず、アンテナＣ１５１ｃおよびアンテナＤ１５１ｄを使用して無線通信を行う。これにより、情報処理装置１００を、ユーザがセカンダリ・ランドスケープ時に、図６（Ａ）とは情報処理装置１００の上下の向きが反対になるように使用した場合、電波が出力されるアンテナＣ１５１ｃおよびアンテナＤ１５１ｄは、それぞれユーザの体から離れた位置であるアンテナＣ配置位置１５２ｃおよびアンテナＤ配置位置１５２ｄに配置されているので、セカンダリ・ランドスケープ時において、無線通信に必要な電波の量を出力しつつ、人体に放射される電波の量を減少させることができる。
【００６０】
図８（Ａ）に、画面表示１２１ｃの向きを基準にして、ＬＣＤ１２１の長手方向が縦方向になるように情報処理装置１００を配置した場合において、連結部１４０が右側に位置するプライマリ・ポートレート時のディスプレイ部１２０における各アンテナが配置された位置であるアンテナＡ配置位置１５２ａ〜アンテナＤ配置位置１５２ｄを示す。
【００６１】
プライマリ・ポートレート時において、アンテナＡ配置位置１５２ａは、図８（Ａ）に示すように、ＬＣＤ１２１の左側の辺において、左側の辺の下側に隣接するＬＣＤ１２１の下側の辺寄りに位置している。
【００６２】
同様に、アンテナＢ配置位置１５２ｂは、ＬＣＤ１２１の左側の辺の上側に隣接するＬＣＤ１２１の上側の辺において、左側の辺寄りに位置している。アンテナＣ配置位置１５２ｃは、ＬＣＤ１２１の左側の辺に対向し、ＬＣＤ１２１の上側の辺およびＬＣＤ１２１の下側の辺に隣接するＬＣＤ１２１の右側の辺において、上側の辺寄りに位置している。アンテナＤ配置位置１５２ｄは、ＬＣＤ１２１の左側の辺の下側に隣接するＬＣＤ１２１の下側の辺において、ＬＣＤ１２１の右側の辺寄りに位置している。
【００６３】
また、このとき情報処理装置１００は、ユーザの体に最も近いアンテナＤ配置位置１５２ｄに配置されたアンテナＤ１５１ｄを使用せず、アンテナＢ１５１ｂおよびアンテナＣ１５１ｃを使用して無線通信を行う。これにより、情報処理装置１００を、ユーザが図６（Ｂ）（プライマリ・ポートレート時）のように使用した場合、電波が出力されるアンテナＢ１５１ｂおよびアンテナＣ１５１ｃは、それぞれユーザの体から離れた位置であるアンテナＢ配置位置１５２ｂおよびアンテナＣ配置位置１５２ｃに配置されているので、プライマリ・ポートレート時において、無線通信に必要な電波の量を出力しつつ、人体に放射される電波の量を減少させることができる。
【００６４】
図８（Ｂ）に、画面表示１２１ｄの向きを基準にして、ＬＣＤ１２１の長手方向が縦方向になるように情報処理装置１００を配置した場合において、連結部１４０が左側に位置するセカンダリ・ポートレート時のディスプレイ部１２０における各アンテナが配置された位置であるアンテナＡ配置位置１５２ａ〜アンテナＤ配置位置１５２ｄを示す。
【００６５】
セカンダリ・ポートレート時において、アンテナＡ配置位置１５２ａは、図８（Ｂ）に示すように、ＬＣＤ１２１の右側の辺において、右側の辺の上側に隣接するＬＣＤ１２１の上側の辺寄りに位置している。
【００６６】
同様に、アンテナＢ配置位置１５２ｂは、ＬＣＤ１２１の右側の辺の下側に隣接するＬＣＤ１２１の下側の辺において、右側の辺寄りに位置している。アンテナＣ配置位置１５２ｃは、ＬＣＤ１２１の右側の辺に対向し、ＬＣＤ１２１の上側の辺およびＬＣＤ１２１の下側の辺に隣接するＬＣＤ１２１の左側の辺において、下側の辺寄りに位置している。アンテナＤ配置位置１５２ｄは、ＬＣＤ１２１の右側の辺の上側に隣接するＬＣＤ１２１の上側の辺において、ＬＣＤ１２１の左側の辺寄りに位置している。
【００６７】
また、このとき情報処理装置１００は、ユーザの体に最も近いアンテナＢ配置位置１５２ｂに配置されたアンテナＢ１５１ｂを使用せず、アンテナＡ１５１ａおよびアンテナＤ１５１ｄを使用して無線通信を行う。これにより、情報処理装置１００を、ユーザがセカンダリ・ポートレート時に図６（Ｂ）とは情報処理装置１００の左右の向きが反対になるように使用した場合、電波が出力されるアンテナＡ１５１ａおよびアンテナＤ１５１ｄは、それぞれユーザの体から離れた位置であるアンテナＡ配置位置１５２ａおよびアンテナＤ配置位置１５２ｄに配置されているので、セカンダリ・ポートレート時において、無線通信に必要な電波の量を出力しつつ、人体に放射される電波の量を減少させることができる。
【００６８】
次に、本実施の形態で使用されるデータのデータ構造例について説明する。
図９は、出力アンテナテーブルのデータ構造例を示す図である。図９に示す出力アンテナテーブル１０３ａは、情報処理装置１００によって作成および管理されるとともに、出力アンテナ情報記憶部１０３（図５参照）として機能するＨＤＤ１１３（図４参照）に格納されている。出力アンテナテーブル１０３ａは、表示パターンと、出力アンテナとの対応関係を示す出力アンテナ情報を格納するテーブルである。
【００６９】
出力アンテナテーブル１０３ａには、ＬＣＤ１２１の表示画面の表示方向を示す項目である“表示パターン”および無線通信に使用され電波が出力されるアンテナを示す項目である“出力アンテナ”が設けられている。各項目の横方向に並べられた情報同士が互いに関連付けられて、出力アンテナ情報を構成する。
【００７０】
表示パターンは、ＬＣＤの表示画面に表示される表示画像の表示方向を示す情報である。図９に示す例では、表示パターン１は、具体的には、プライマリ・ランドスケープ時（図７（Ａ）参照）である。同様に、表示パターン２は、セカンダリ・ランドスケープ時（図７（Ｂ）参照）である。表示パターン３は、プライマリ・ポートレート時（図８（Ａ））である。表示パターン４は、セカンダリ・ポートレート時（図８（Ｂ））である。
【００７１】
出力アンテナは、各表示パターンにおいて無線通信に使用され電波が出力されるアンテナを示す。この出力アンテナは、原則として、各表示パターンにおいてユーザの体から遠く、出力される電波の影響がユーザに対して比較的少ないアンテナを設定する。
【００７２】
次に、本実施の形態で実行される処理について説明する。
図１０および図１１は、出力アンテナ設定処理の手順を示すフローチャートである。
本実施の形態の情報処理装置１００は、この出力アンテナ設定処理により、情報処理装置１００のＬＣＤ１２１の表示画像の表示方向に基づいて出力アンテナを設定し、設定したアンテナによって無線通信を行う。情報処理装置１００によってＬＣＤ１２１の表示方向の変化が、常にまたは一定時間ごとに監視されており、表示方向検出部１０２（図５参照）が表示方向の変化を検出した場合、この画面設定処理が呼び出されて情報処理装置１００によって実行される。以下、出力アンテナ設定処理について説明する。
【００７３】
［ステップＳ１１］制御部１０１は、表示方向検出部１０２によって検出された表示方向が、表示パターン１（プライマリ・ランドスケープ時）であるか否かについて判定する。表示パターン１であれば、制御部１０１は、ステップＳ１２に処理を進める。一方、表示パターン１でなければ、制御部１０１は、ステップＳ１４に処理を進める。
【００７４】
［ステップＳ１２］制御部１０１は、出力アンテナ情報記憶部１０３から出力アンテナ情報（図９において前述）を取得し、表示パターン１に対応する出力アンテナである、アンテナＡ１５１ａおよびアンテナＢ１５１ｂを出力アンテナとして設定する。
【００７５】
［ステップＳ１３］通信部１１６は、以後、表示パターンおよび出力アンテナ情報に基づいて制御部１０１により設定された出力アンテナを使用して無線通信を行う。その後、制御部１０１は、処理を終了する。
【００７６】
［ステップＳ１４］制御部１０１は、表示方向検出部１０２によって検出された表示方向が、表示パターン２（セカンダリ・ランドスケープ時）であるか否かについて判定する。表示パターン２であれば、制御部１０１は、ステップＳ１５に処理を進める。一方、表示パターン２でなければ、制御部１０１は、ステップＳ２１（図１１参照）に処理を進める。
【００７７】
［ステップＳ１５］制御部１０１は、出力アンテナ情報記憶部１０３から出力アンテナ情報を取得し、表示パターン２に対応する出力アンテナである、アンテナＣ１５１ｃおよびアンテナＤ１５１ｄを出力アンテナとして設定する。その後、制御部１０１は、ステップＳ１３に処理を進める。
【００７８】
［ステップＳ２１］制御部１０１は、表示方向検出部１０２によって検出された表示方向が、表示パターン３（プライマリ・ポートレート時）であるか否かについて判定する。表示パターン３であれば、制御部１０１は、ステップＳ２２に処理を進める。一方、表示パターン３でなければ、制御部１０１は、ステップＳ２３に処理を進める。
【００７９】
［ステップＳ２２］制御部１０１は、出力アンテナ情報記憶部１０３から出力アンテナ情報を取得し、表示パターン３に対応する出力アンテナである、アンテナＢ１５１ｂおよびアンテナＣ１５１ｃを出力アンテナとして設定する。その後、制御部１０１は、ステップＳ１３（図１０）に処理を進める。
【００８０】
［ステップＳ２３］制御部１０１は、表示方向検出部１０２によって検出された表示方向が、表示パターン４（セカンダリ・ポートレート時）であるか否かについて判定する。表示パターン４であれば、制御部１０１は、ステップＳ２４に処理を進める。一方、表示パターン４でなければ、制御部１０１は、ステップＳ２５に処理を進める。
【００８１】
［ステップＳ２４］制御部１０１は、出力アンテナ情報記憶部１０３から出力アンテナ情報を取得し、表示パターン４に対応する出力アンテナである、アンテナＡ１５１ａおよびアンテナＤ１５１ｄを出力アンテナとして設定する。その後、制御部１０１は、ステップＳ１３（図１０）に処理を進める。
【００８２】
［ステップＳ２５］制御部１０１は、表示パターンが１〜４のいずれであると判定しない場合には、エラー処理を行う。その後、制御部１０１は、処理を終了する。このエラー処理では、制御部１０１は、従前の出力アンテナの設定から設定を変更せず、従前の設定と同一のアンテナによって無線通信を行う。なお、これに限らず、エラー処理において、すべてのアンテナからの電波の出力を中止してもよい。また、エラー表示またはエラー音声出力により、表示パターンの判定にエラーがあったことを報知してもよい。また、これらを組み合わせた処理を実行してもよい。
【００８３】
以上のように、本実施の形態の情報処理装置１００によれば、電波の安全性に関する基準を満たしつつ良好な無線通信を確保して、ユーザがより快適に使用することができる。
また、表示方向の判定には特別なセンサを必要としないので、経済的である。
【００８４】
また、アンテナの位置および画像の表示方向を固定してユーザの体に放射される電波を抑制するタブレットタイプのノートＰＣに比較して、ユーザが画像の表示方向を自由に変更できるため、ユーザにとって便利であり、情報処理装置１００の利用の幅を広げることが可能になる。
【００８５】
また、人体から遠い方に配置された複数のアンテナを使用できるため、表示方向に制限されずにダイバーシティ送受信が可能となる。
なお、本実施の形態の情報処理装置１００は、アンテナをディスプレイ部１２０の４箇所に配置している。しかし、これに限らず、情報処理装置１００は、アンテナをディスプレイ部１２０の３箇所に配置してもよく、アンテナをディスプレイ部１２０の５箇所以上に配置してもよい。
【００８６】
なお、上記の処理機能は、コンピュータによって実現することができる。その場合、情報処理装置１００が有すべき機能の処理内容を記述したプログラムが提供される。そのプログラムをコンピュータで実行することにより、上記処理機能がコンピュータ上で実現される。
【００８７】
処理内容を記述したプログラムは、コンピュータで読み取り可能な記録媒体に記録しておくことができる。コンピュータで読み取り可能な記録媒体には、磁気記録装置、光ディスク、光磁気記録媒体、半導体メモリ等がある。磁気記録装置には、ＨＤＤ、フレキシブルディスク（ＦＤ）、磁気テープ（ＭＴ）等がある。光ディスクには、ＤＶＤ（Digital Versatile Disc）、ＤＶＤ−ＲＡＭ、ＣＤ−ＲＯＭ（Compact Disc - Read Only Memory）、ＣＤ−Ｒ（Recordable）／ＲＷ（ReWritable）等がある。光磁気記録媒体には、ＭＯ（Magneto - Optical disk）等がある。
【００８８】
上記プログラムを流通させる場合には、例えば、そのプログラムが記録されたＤＶＤ、ＣＤ−ＲＯＭ等の可搬型記録媒体が販売される。また、プログラムをサーバコンピュータに格納しておき、ネットワークを通じて、サーバコンピュータから他のコンピュータにそのプログラムを転送することもできる。
【００８９】
上記プログラムを実行するコンピュータは、例えば、可搬型記録媒体に記録されたプログラムまたはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００９０】
以上、開示の電子機器、制御プログラムおよび制御方法を、図示の実施の形態に基づいて説明したが、各部の構成は同様の機能を有する任意の構成のものに置換することができる。また、開示の技術に他の任意の構成物や工程が付加されてもよい。また、開示の技術は前述した実施の形態のうちの任意の２以上の構成を組み合わせたものであってもよい。
【００９１】
上記については単に本発明の原理を示すものである。さらに、多数の変形、変更が当業者にとって可能であり、開示の技術は上記に示し、説明した正確な構成および応用例に限定されるものではなく、対応するすべての変形例および均等物は、添付の請求項およびその均等物による本発明の範囲とみなされる。
【００９２】
（付記１）  第１辺と、前記第１辺の一端に続き前記第１辺に隣接する第２辺と、前記第１辺の他端に続き前記第１辺に隣接する第３辺と、前記第２辺と前記第３辺とに隣接する第４辺と、からなる矩形状の表示画面を有する筐体と、
前記第１辺に隣接し且つ前記第３辺寄りの位置に設けられた複数のアンテナの中の第１のアンテナと、
前記第２辺に隣接し且つ前記第１辺寄りの位置に設けられた前記複数のアンテナの中の第２のアンテナと、
前記第４辺に隣接し且つ前記第２辺寄りの位置に設けられた前記複数のアンテナの中の第３のアンテナと、
無線通信に使用するアンテナとして、前記第１辺が前記表示画面の上辺となる場合には、前記第１のアンテナと前記第２のアンテナとを選択し、前記第２辺が前記表示画面の上辺となる場合には、前記第２のアンテナと前記第３のアンテナとを選択する制御部と、
を有することを特徴とする電子機器。
【００９３】
（付記２）  前記第３辺に隣接し且つ前記第４辺寄りの位置に設けられた前記複数のアンテナの中の第４のアンテナを有し、
前記制御部は、無線通信に使用するアンテナとして、前記第３辺が前記表示画面の上辺となる場合には、前記第１のアンテナと前記第４のアンテナとを選択することを特徴とする付記１記載の電子機器。
【００９４】
（付記３）  前記制御部は、無線通信に使用するアンテナとして、前記第４辺が前記表示画面の上辺となる場合には、前記第３のアンテナと前記第４のアンテナとを選択することを特徴とする付記２記載の電子機器。
【００９５】
（付記４）  前記筐体は、
前記表示画面と前記複数のアンテナとを有する第１の筐体と、
第２の筐体と、
前記第１の筐体と前記第２の筐体とを第１軸で開閉可能に連結するとともに前記第１軸と交差する方向の第２軸でそれらを回動可能に連結する連結部と、
を有することを特徴とする付記１から３のいずれか１つに記載の電子機器。
【００９６】
（付記５）  前記表示画面の表示方向を検出する表示方向検出部を有し、
前記制御部は、前記表示方向検出部による検出結果に基づき、無線通信に使用するアンテナとして、前記第１辺が前記表示画面の上辺となる場合には、前記第１のアンテナと前記第２のアンテナとを選択し、前記第２辺が前記表示画面の上辺となる場合には、前記第２のアンテナと前記第３のアンテナとを選択することを特徴とする付記１記載の電子機器。
【００９７】
（付記６）  前記表示方向検出部は、ユーザが操作部を操作することにより切り替える表示方向を入力する切替操作を検出することによって、前記表示画面の前記表示方向を検出することを特徴とする付記５記載の電子機器。
【００９８】
（付記７）  前記制御部は、前記表示画面の前記表示方向を切り替える切替処理を実行し、
前記表示方向検出部は、前記制御部による前記切替処理の実行を検出することによって、前記表示画面の前記表示方向を検出することを特徴とする付記５記載の電子機器。
【００９９】
（付記８）  前記表示画面の表示方向と、前記表示方向において無線通信に使用するアンテナとを対応付ける出力アンテナ情報を記憶する出力アンテナ情報記憶部を有することを特徴とする付記１記載の電子機器。
【０１００】
（付記９）  第１辺と、前記第１辺の一端に続き前記第１辺に隣接する第２辺と、前記第１辺の他端に続き前記第１辺に隣接する第３辺と、前記第２辺と前記第３辺とに隣接する第４辺と、からなる矩形状の表示画面を有する筐体を有する電子機器で実行される制御プログラムにおいて、
前記電子機器を、
前記表示画面の表示方向を検出する表示方向検出部、
前記表示方向検出部による検出結果に基づき、無線通信に使用するアンテナとして、前記第１辺が前記表示画面の上辺となる場合には、前記第１辺に隣接し且つ前記第３辺寄りの位置に設けられた第１のアンテナと前記第２辺に隣接し且つ前記第１辺寄りの位置に設けられた第２のアンテナとを選択し、前記第２辺が前記表示画面の上辺となる場合には、前記第２のアンテナと前記第４辺に隣接し且つ前記第２辺寄りの位置に設けられた第３のアンテナとを選択する制御部、
として機能させることを特徴とする制御プログラム。
【０１０１】
（付記１０）  第１辺と、前記第１辺の一端に続き前記第１辺に隣接する第２辺と、前記第１辺の他端に続き前記第１辺に隣接する第３辺と、前記第２辺と前記第３辺とに隣接する第４辺と、からなる矩形状の表示画面を有する筐体を有する電子機器を制御する制御方法において、
表示方向検出部が、前記表示画面の表示方向を検出する表示方向検出ステップと、
制御部が、前記表示方向検出部による検出結果に基づき、無線通信に使用するアンテナとして、前記第１辺が前記表示画面の上辺となる場合には、前記第１辺に隣接し且つ前記第３辺寄りの位置に設けられた第１のアンテナと前記第２辺に隣接し且つ前記第１辺寄りの位置に設けられた第２のアンテナとを選択し、前記第２辺が前記表示画面の上辺となる場合には、前記第２のアンテナと前記第４辺に隣接し且つ前記第２辺寄りの位置に設けられた第３のアンテナとを選択する制御ステップと、
を有することを特徴とする制御方法。
【図面の簡単な説明】
【０１０２】
【図１】本実施の形態の概要を示す図である。
【図２】情報処理装置の外観を示す図である。
【図３】情報処理装置の外観を示す図である。
【図４】情報処理装置のハードウェア構成図である。
【図５】情報処理装置のブロック図である。
【図６】タブレット状態における使用状態を示す図である。
【図７】画面表示の向きとアンテナの位置との関係を示す図である。
【図８】画面表示の向きとアンテナの位置との関係を示す図である。
【図９】出力アンテナテーブルのデータ構造例を示す図である。
【図１０】出力アンテナ設定処理の手順を示すフローチャートである。
【図１１】出力アンテナ設定処理の手順を示すフローチャートである。
【符号の説明】
【０１０３】
１  電子機器
１０  筐体
１１  制御部
１２  表示方向検出部
１３  表示画面
１３ａ  第１辺
１３ｂ  第２辺
１３ｃ  第３辺
１３ｄ  第４辺
１４ａ  第１のアンテナ
１４ｂ  第２のアンテナ
１４ｃ  第３のアンテナ
【図１】
2010041289.tif 000003
【図２】
2010041289.tif 000004
【図３】
2010041289.tif 000005
【図４】
2010041289.tif 000006
【図５】
2010041289.tif 000007
【図６】
2010041289.tif 000008
【図７】
2010041289.tif 000009
【図８】
2010041289.tif 000010
【図９】
2010041289.tif 000011
【図１０】
2010041289.tif 000012
【図１１】
2010041289.tif 000013